(57)【要約】【課題】携帯端末内に保存されている画像を、携帯端末の所有者でない第三者がプリント装置から容易にプリント出力する。【解決手段】プリントシステムは、端末から画像データを受信し、前記画像データに対応する識別情報を生成し、前記識別情報と前記画像データとを対応付けて保存し、前記識別情報を示す二次元コード画像を生成し、前記二次元コード画像を前記端末へ送信するサーバ装置と、携帯端末の表示部に表示された前記二次元コード画像を読み取って前記識別情報を取得し、前記識別情報を前記サーバ装置へ通知するプリント装置と、を備える。前記サーバ装置は前記プリント装置から通知された識別情報に対応する画像データを前記プリント装置へ送信し、前記プリント装置は前記サーバ装置から受信した画像データを用いてプリント処理を行い、印画物を出力することを特徴とする。【選択図】図１
2019192016.tif 000002
【特許請求の範囲】
【請求項１】
端末から画像データを受信し、前記画像データに対応する識別情報を生成し、前記識別情報と前記画像データとを対応付けて保存し、前記識別情報を示す二次元コード画像を生成し、前記二次元コード画像を前記端末へ送信するサーバ装置と、
携帯端末の表示部に表示された前記二次元コード画像を読み取って前記識別情報を取得し、前記識別情報を前記サーバ装置へ通知するプリント装置と、
を備え、
前記サーバ装置は前記プリント装置から通知された識別情報に対応する画像データを前記プリント装置へ送信し、
前記プリント装置は前記サーバ装置から受信した画像データを用いてプリント処理を行い、印画物を出力することを特徴とするプリントシステム。
【請求項２】
前記サーバ装置は、前記識別情報に有効期限を設定し、有効期限情報を加えた前記二次元コード画像を前記端末へ送信することを特徴とする請求項１に記載のプリントシステム。
【請求項３】
前記サーバ装置は、前記プリント装置から通知された識別情報の有効期限が過ぎている場合、有効期限が過ぎていることを示すエラー情報を前記プリント装置へ送信することを特徴とする請求項２に記載のプリントシステム。
【請求項４】
前記サーバ装置は、前記二次元コード画像に、前記端末から受信した画像データのファイル名に基づくファイル名を付与することを特徴とする請求項１乃至３のいずれか１項に記載のプリントシステム。
【請求項５】
前記サーバ装置は、前記端末から受信した画像と、生成した二次元コード画像とを合成した合成画像を生成し、前記合成画像を前記端末へ送信することを特徴とする請求項１乃至４のいずれか１項に記載のプリントシステム。
【発明の詳細な説明】
【技術分野】
【０００１】
本発明は、携帯端末内に保存されている画像を、携帯端末の所有者でない第三者がプリント装置からプリント出力できるようにするプリントシステムに関する。
【背景技術】
【０００２】
カメラ付き通信装置で撮影した画像データをサーバへ送信し、サーバから画像データを受信したプリント装置が画像をプリント出力するプリントシステムが提案されている（例えば特許文献１参照）。
【０００３】
特許文献１に開示されたプリントシステムでは、サーバはカメラ付き通信装置から画像データを受信すると、注文受付ＩＤを発行し、カメラ付き通信装置へ送信する。ユーザが、カメラ付き通信装置で受信した注文受付ＩＤをプリント装置の入力手段に入力すると、プリント装置はサーバと通信を行い、入力された注文受付ＩＤに対応する画像データをサーバから取得し、プリント出力する。
【０００４】
このような従来のプリントシステムでは、カメラ付き通信装置の所有者であるユーザは、撮影した画像のプリント出力を行うことができるが、所有者以外の第三者がこの画像をプリント出力することは困難であった。
【先行技術文献】
【特許文献】
【０００５】
【特許文献１】特開２００４−２４０７３７号公報
【発明の概要】
【発明が解決しようとする課題】
【０００６】
本発明は、携帯端末内に保存されている画像を、携帯端末の所有者でない第三者がプリント装置から容易にプリント出力できるプリントシステムを提供することを課題とする。
【課題を解決するための手段】
【０００７】
本発明によるプリントシステムは、端末から画像データを受信し、前記画像データに対応する識別情報を生成し、前記識別情報と前記画像データとを対応付けて保存し、前記識別情報を示す二次元コード画像を生成し、前記二次元コード画像を前記端末へ送信するサーバ装置と、携帯端末の表示部に表示された前記二次元コード画像を読み取って前記識別情報を取得し、前記識別情報を前記サーバ装置へ通知するプリント装置と、を備え、前記サーバ装置は前記プリント装置から通知された識別情報に対応する画像データを前記プリント装置へ送信し、前記プリント装置は前記サーバ装置から受信した画像データを用いてプリント処理を行い、印画物を出力するものである。
【０００８】
本発明の一態様では、前記サーバ装置は、前記識別情報に有効期限を設定し、有効期限情報を加えた前記二次元コード画像を前記端末へ送信する。
【０００９】
本発明の一態様では、前記サーバ装置は、前記プリント装置から通知された識別情報の有効期限が過ぎている場合、有効期限が過ぎていることを示すエラー情報を前記プリント装置へ送信する。
【００１０】
本発明の一態様では、前記サーバ装置は、前記二次元コード画像に、前記端末から受信した画像データのファイル名に基づくファイル名を付与する。
【００１１】
本発明の一態様では、前記サーバ装置は、前記端末から受信した画像と、生成した二次元コード画像とを合成した合成画像を生成し、前記合成画像を前記端末へ送信する。
【発明の効果】
【００１２】
本発明によれば、携帯端末内に保存されている画像を、携帯端末の所有者でない第三者がプリント装置から容易にプリント出力できる。
【図面の簡単な説明】
【００１３】
【図１】本発明の実施形態に係るプリントシステムの概略構成図である。
【図２】（ａ）（ｂ）は携帯端末の表示画面の例を示す図である。
【図３】同実施形態に係るサーバ装置の機能ブロック図である。
【図４】プリント装置の概略構成図である。
【図５】プリント処理プログラムを実行することで実現される機能ブロック図である。
【図６】同実施形態に係るプリント方法を説明するフロー図である。
【図７】別の実施形態に係るプリント装置の斜視図である。
【図８】プリント装置のブロック図である。
【発明を実施するための形態】
【００１４】
以下、本発明の実施の形態を図面に基づいて説明する。
【００１５】
図１に本発明の実施形態に係るプリントシステムの概略構成を示す。プリントシステムは、携帯端末１（１Ａ，１Ｂ）と、サーバ装置２と、プリント装置３とを備える。携帯端末１は例えばスマートフォンやタブレット端末である。
【００１６】
ユーザＡは、自身の携帯端末１Ａで撮影した画像をサーバ装置２に送信し、登録する。サーバ装置２は、携帯端末１Ａから画像データを受信すると、この画像を一意に識別する識別情報を生成し、画像データと識別情報とを紐付けて保存する。サーバ装置２は、識別情報を二次元コードに変換し、二次元コード画像を携帯端末１Ａへ送信する。
【００１７】
ユーザＡは、携帯端末１Ａを用いてＳＮＳサーバ４と通信し、撮影画像と二次元コード画像とをＳＮＳ（Social  Networking  Service）に投稿する。ＳＮＳサーバ４は、ブログ、ウェブページ、メッセージ、静止画像、動画像、音声等といった各種コンテンツの投稿を受け付け、受け付けたコンテンツを公開することで、コンテンツに関する各種の情報を世間一般に拡散させるＳＮＳを提供するサーバ装置である。
【００１８】
ユーザＢは、携帯端末１Ｂを用いてＳＮＳ（ユーザＡのブログ等）を閲覧する。ユーザＢは、投稿された画像を気に入り、プリント物の入手を望む場合、プリント装置３へ移動する。プリント装置３は、証明写真撮影装置としても利用されるものであり、駅、店舗、町中など様々な場所に設置されている。
【００１９】
ユーザＢは、図２（ａ）に示すように、携帯端末１ＢのディスプレイＤに、ユーザＡによってＳＮＳに投稿された二次元コード画像Ｑを表示し、プリント装置３の読取装置３４（図４参照）にかざす。プリント装置３は、読取装置３４で二次元コード画像を読み取り、識別情報を取得する。
【００２０】
プリント装置３は、取得した識別情報をサーバ装置２に通知する。サーバ装置２は、プリント装置３から通知された識別情報に紐付けられた画像データをプリント装置３へ送信する。プリント装置３は、プリンタ３５（図４参照）を用いて、サーバ装置２から受信した画像データをプリント出力する。ユーザＢは、プリント出力された印画物５を入手できる。
【００２１】
例えば、ユーザＡがカフェやペットショップ等の経営者である場合、携帯端末１Ａを用いて、看板犬を撮影した画像とクーポン付き広告画像をサーバ装置２に登録する。ユーザＡは、看板犬の撮影画像と、サーバ装置２から取得した二次元コード画像とを店舗のＳＮＳに投稿する。ユーザＡは、画像投稿時に「この限定画像は町中の証明写真撮影ボックスで入手できます」というコメントも投稿する。
【００２２】
ＳＮＳを閲覧したユーザＢは、プリント装置３へ移動し、ＳＮＳ上の二次元コード画像を携帯端末１Ｂに表示してプリント装置３に読み取らせる。プリント装置３からは、看板犬の写真と、割引クーポン付の店舗の広告がプリント出力される。写真と共にプリント出力された店舗広告を見たユーザＢを店舗へ誘導することが可能となる。
【００２３】
二次元コード画像は、ユーザＡからユーザＢへ直接送信することもできる。例えば、ユーザＡは、趣味で撮影した画像や、旅行中に撮影した画像をサーバ装置２に登録する。ユーザＡは、携帯端末１Ａを用いて、サーバ装置２から取得した二次元コード画像を、友人であるユーザＢの携帯端末１ＢへＥメール等で送信する。
【００２４】
ユーザＢは、プリント装置３へ移動し、ユーザＡから受信した二次元コード画像を携帯端末１Ｂに表示してプリント装置３に読み取らせる。プリント装置３からは、ユーザＡが登録した撮影画像がプリント出力される。撮影した画像の写真を友人同士で共有することが可能となる。
【００２５】
上述した二次元コード画像のＳＮＳへの投稿や、メール送信は、携帯端末１Ａにインストールされたアプリ（アプリケーションプログラム）のＳＮＳ連携機能、メール添付機能を用いて行うことができる。
【００２６】
ユーザＡがサーバ装置２に登録した画像をプリント装置３でプリント出力できる有効期限が設定されていてもよい。図２（ａ）に示すように、二次元コード画像と共に有効期限Ｖが記載されていてもよい。
【００２７】
サーバ装置２は、ユーザＡにより登録された画像に、二次元コード画像を合成した合成画像を携帯端末１Ａへ送信してもよい。ユーザＡは、合成画像をＳＮＳに投稿する。ＳＮＳを閲覧したユーザＢは、図２（ｂ）に示すように合成画像ＣをディスプレイＤに表示する。ユーザＢは、必要に応じてピンチアウト等の操作を行い、合成画像Ｃ内の二次元コードＱ部分を拡大表示してプリント装置３の読取装置３４にかざす。
【００２８】
次に、サーバ装置２の構成について説明する。サーバ装置２は、通信機能を有するコンピュータであり、図３に示すように、記憶部２０、画像受信部２１、二次元コード生成部２２、二次元コード画像送信部２３、識別情報受信部２４、画像検索部２５、及び画像送信部２６を有する。
【００２９】
画像受信部２１は携帯端末１Ａから画像データを受信する。
【００３０】
二次元コード生成部２２は、画像受信部２１が受信した画像に対する識別情報を生成し、識別情報を示す二次元コードを生成する。画像データと識別情報とは対応付けて記憶部２０に保存される。二次元コード生成部２２は、二次元コード画像に、携帯端末１Ａから受信した画像に対応するものであることがわかりやすいファイル名を付すことが好ましい。例えば、携帯端末１Ａから受信した画像のファイル名に”ＣＯＤＥ”という文字を付加したファイル名にする。
【００３１】
二次元コード生成部２２は、ユーザからの要求に応じて、受信した画像に二次元コードを合成した合成画像を作成してもよい。
【００３２】
二次元コード生成部２２は、プリント有効期限を設定し、二次元コード画像に有効期限情報を加えてもよい。プリント有効期限はユーザＡが設定してもよいし、サーバ装置２側で自動設定してもよい。
【００３３】
二次元コード画像送信部２３は、生成された二次元コード画像（又は合成画像）を携帯端末１Ａへ送信する。
【００３４】
識別情報受信部２４は、プリント装置３から、プリント装置３が携帯端末１Ｂに表示された二次元コード画像を読み取って取得した識別情報を受信する。受信した識別情報の有効期限が過ぎていた場合、サーバ装置２は有効期限が過ぎているというエラー情報をプリント装置２へ送信する。
【００３５】
画像検索部２５は、受信した識別情報に対応する画像データを検索し、記憶部２０から取り出す。
【００３６】
画像送信部２６は、記憶部２０から取り出された画像データをプリント装置３へ送信する。
【００３７】
次に、プリント装置３の構成について説明する。上述したように、プリント装置３は証明写真撮影装置としても使用されるものであり、図４に示すように、演算制御部３１と、被撮影者の顔を撮影し、顔画像データを生成する撮影部３２と、各種画面を表示するタッチパネル３３と、読取装置３４と、印画物（写真）をプリントするプリンタ３５と、課金部３６と、通信部３７とを備える。
【００３８】
プリント装置３は、証明写真撮影モードと、画像プリントモードとの２つの動作モードを有する。利用者がプリント装置３の筐体内に進入すると、タッチパネル３３にモード選択画面が表示される。
【００３９】
証明写真撮影モードが選択されると、タッチパネル３３に証明写真の用途（運転免許証、パスポート等）の選択画面が表示される。用途を選択すると課金処理が行われる。課金部３６が利用者から支払われた貨幣を受け入れて、釣り銭を出金する。課金処理後、撮影部３２が利用者の顔を撮影する。撮影された顔画像データは演算制御部３１へ転送される。
【００４０】
演算制御部３１は顔画像データを用途に応じたサイズにリサイズし、プリント用画像を生成してプリンタ３５へ転送する。プリンタ３５は、演算制御部１から受け取ったプリント用画像を用紙に印画して出力する。プリンタ３５のプリント方式は特に限定されず、インクジェット方式、昇華型熱転写方式、溶融型熱転写方式等を用いることができる。
【００４１】
画像プリントモードが選択された場合、タッチパネル３３は二次元コード画像を読取装置３４にかざすように指示画面を表示する。図示しないスピーカから音声で指示を出力してもよい。
【００４２】
演算制御部３１は、ＣＰＵ（中央処理装置）及び記憶部等を有するコンピュータであり、画像プリントモードが選択されると、記憶部内のプリント処理プログラムを実行する。プリント処理プログラムの実行により、図５に示すように、識別情報取得部３０１、画像取得部３０２及びプリント処理部３０３が実現される。
【００４３】
識別情報取得部３０１は、読取装置３４を用いて、携帯端末１Ｂ等のディスプレイに表示された二次元コード画像を読み取り、識別情報を取得する。
【００４４】
画像取得部３０２は、通信部３７を用いてサーバ装置２と通信を行い、識別情報を通知する。画像取得部３０２は、通知した識別情報に対応する画像データをサーバ装置２から取得する。
【００４５】
プリント処理部３０３は、サーバ装置２から取得した画像と、プリント出力を行うか否か選択する選択ボタンとをタッチパネル３３に表示する。プリント出力を行うことが選択されると、課金部３６が課金処理を行い、利用者から支払われた貨幣を受け入れて、釣り銭を出金する。課金処理後、画像データがプリンタ３５へ転送され、印画物５がプリント出力される。
【００４６】
次に、本実施形態に係るプリント方法を図６に示すフローを用いて説明する。
【００４７】
ユーザＡが、携帯端末１Ａを用いて、サーバ装置２へ画像データを登録する（ステップＳ１）。サーバ装置２は、画像データに対応する識別情報を生成し、画像データと識別情報とを紐付けて保存する。また、サーバ装置２は、識別情報を示す二次元コード画像を生成し、携帯端末１Ａへ送信する（ステップＳ２、Ｓ３）。
【００４８】
ユーザＡは、携帯端末１Ａを用いて、画像データと二次元コード画像とをＳＮＳに投稿する（ステップＳ４）。ユーザＢは、携帯端末１Ｂを用いて、ユーザＡのブログ等のＳＮＳを閲覧する（ステップＳ５）。ＳＮＳ内に気に入った画像がある場合、ユーザＢはプリント装置３へ移動し、画像と共に投稿された二次元コード画像を携帯端末１ＢのディスプレイＤに表示し（ステップＳ６）、プリント装置３の読取装置３４にかざす（ステップＳ７）。
【００４９】
プリント装置３は、読取装置３４が二次元コード画像を読み取って取得した識別情報をサーバ装置２に通知する（ステップＳ８，９）。サーバ装置２は、通知された識別情報に対応する画像データをプリント装置３へ送信する（ステップＳ１０）。プリント装置３は、サーバ装置２から受信した画像データをプリント出力する（ステップＳ１１）。ユーザＢは、ＳＮＳを閲覧して気に入った画像の印画物を入手する（ステップＳ１２）。
【００５０】
このように、本実施形態によれば、携帯端末内に保存されている画像を、携帯端末の所有者でない第三者がプリント装置から容易にプリント出力できる。
【００５１】
上記実施形態では、証明写真撮影装置をプリント装置として使用する例について説明したが、図７に示すような、携帯端末や可搬記憶媒体内の画像をプリント出力するプリント装置６を使用してもよい。図８はプリント装置６のブロック構成図である。
【００５２】
図８に示すように、プリント装置６は、第１タッチパネル６０Ａ、第２タッチパネル６０Ｂ、読取部６１、課金部６２、プリンタ６３、ＣＰＵ６４、記憶部６５、通信部６６、データ入力部６７等を有する。
【００５３】
図７に示すように、第１タッチパネル６０Ａは筐体Ｈの天板Ｔ部分に設けられ、第２タッチパネル６０Ｂは筐体Ｈの上部に設けられている。第１タッチパネル６０Ａへの入力操作を行い易いように、天板Ｔ及び第１タッチパネル６０Ａの画面は、手前側が低く奥側が高くなるようにやや傾斜している。第２タッチパネル６０Ｂのディスプレイ画面は、略垂直に立った状態となっている。
【００５４】
第１タッチパネル６０Ａ及び第２タッチパネル６０Ｂは、画像を含む情報を表示したり、利用者から各種指示の入力を受け付けたりする。
【００５５】
読取部６１は、携帯端末１に表示された二次元コード画像を読み取る。読取部６１の設置箇所は特に限定されず、例えば天板Ｔと第２タッチパネル６０Ｂとの間に設けられる。
【００５６】
課金部６２は課金処理を行う。図７に示すように、課金部６２は、筐体Ｈの前面側に設けられた硬貨投入口６２Ａ、紙幣投入口６２Ｂ、釣銭返却口６２Ｃを有し、硬貨投入口６２Ａ及び紙幣投入口６２Ｂから投入された貨幣を識別計数し、釣銭を釣銭返却口６２Ｃから放出する。
【００５７】
プリンタ６３は、昇華型又はインクジェット型などの高解像度カラープリンタであり、画像データをプリントして出力する。プリンタ６３は筐体Ｈ内に収容されている。プリンタ６３は複数台設置されていてもよい。筐体Ｈの前面側には、透明な開閉扉６８が開閉自在に設けられている。開閉扉６８の裏面側には、プリンタ６３がプリント出力した印画物が集積される集積部（図示せず）が設けられており、開閉扉６８を開けると集積部に集積された印画物を取り出せるようになっている。
【００５８】
記憶部６５は各種プログラムを格納する。
【００５９】
データ入力部６７は、利用者が持参した可搬記憶媒体から画像データを読み出し、画像データの入力を受け付ける。
【００６０】
利用者は、携帯端末１のディスプレイＤに二次元コード画像を表示し、読取部６１にかざす。プリント装置６は、読取部６１が二次元コード画像を読み取って取得した識別情報を、通信部６６を用いてサーバ装置２に通知する。
【００６１】
プリント装置６は、サーバ装置２から、識別情報に対応する画像データを受信する。課金部６２を用いて課金処理した後、受信した画像データをプリンタ６３から出力する。
【００６２】
上記実施形態では、ユーザＡが携帯端末１Ａを用いて、サーバ装置２に画像を登録したり、撮影画像及び二次元コード画像をＳＮＳに投稿したりする例について説明したが、携帯端末でなく、パーソナルコンピュータ等の端末を使用してもよい。
【００６３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６４】
１，１Ａ，１Ｂ  携帯端末
２  サーバ
３  プリント装置
４  ＳＮＳサーバ
５  印画物
【図１】
2019192016.tif 000003
【図２】
2019192016.tif 000004
【図３】
2019192016.tif 000005
【図４】
2019192016.tif 000006
【図５】
2019192016.tif 000007
【図６】
2019192016.tif 000008
【図７】
2019192016.tif 000009
【図８】
2019192016.tif 000010